(57)【要約】【課題】少ない構成部品で電子機器の卓上載置、壁への取付を可能とする。【解決手段】第１の支持体１は、第１の支持面に向けて配置される。筐体２の背面側には、第２の支持体４が設けられている。第２の支持体４は、装置側部材４ａと、この装置側部材４ａに挿入すべく、前記第１の支持面と交差する方向に向く第２の支持面５から突出する支持面側部材４ｂとを有している。前記第１の支持体１は筐体２の転倒を防止すべく第１の支持体１により支持される筐体２の幅寸法Ｗ0と同じかそれ以上の幅寸法Ｗ1を有し、幅方向に貫通する貫通孔６が形成されている。【選択図】図３
2020120296.tif 000002
【特許請求の範囲】
【請求項１】
長方体状をなし、内部に電子機器本体を収容する筐体における、該筐体を支持する第１の支持面に対向する第１の面に一体に設けられる第１の支持体と、
前記第１の支持面と交差する方向に向く第２の支持面に対向して配置され、前記第１の面と直交する第２の面に設けられて該他の面と交差する方向に凸状または凹状に形成された第２の支持体と、
を有し、
前記第１の支持体は、前記第２の支持面と交差する方向に向かう貫通孔を有し、
前記第２の支持体は、前記第２の支持面から凹状または凸状に設けられた支持部材に支持される
電子機器の支持装置。
【請求項２】
前記第１の支持体は、前記筐体の第１の面と直交し、前記第２の支持面と並行な第２の面より外方まで延在して設けられた
請求項１に記載の電子機器の支持装置。
【請求項３】
前記第１の支持体は、前記筐体の底部に前記筐体の第２の面より外方まで延在して設けられた請求項２に記載の電子機器の支持装置。
【請求項４】
前記第１の支持体は、前記筐体の第２の面に重ねられる板状部と、
この板状部から前記他の面の外方へ突出して設けられた突起と、を有する
請求項２または３のいずれか１項に記載の電子機器の支持装置。
【請求項５】
前記板状部には、該板状部を貫通する空気流通孔が形成された
請求項４に記載の電子機器の支持装置。
【請求項６】
前記空気流通孔は、前記筐体の第２の面を貫通して設けられた通気孔に平面視で重なる位置に配置された
請求項５に記載の電子機器の支持装置。
【請求項７】
長方体状をなし、内部に電子機器本体を収容する筐体における、該筐体を支持する第１の支持面に対向する第１の面に一体に設けられた第１の支持体と、
前記第１の支持面と交差する方向に向く第２の支持面に対向して配置され、前記筐体の第１の面と直交する第２の面に設けられて該第２の面と交差する方向に凸状または凹状に形成された第２の支持体と、
前記第２の支持体を支持すべく、前記第２の支持面と交差する方向に凹状または凸状に設けられた支持部材と、
前記第１の支持体を記第２の支持面と交差する方向に貫通する貫通孔と、
この貫通孔を貫通して前記第２の支持面に固定される貫通部材と、
を有する電子機器の支持構造。
【発明の詳細な説明】
【技術分野】
【０００１】
本発明は、電子機器の支持装置および支持構造に関する。
【背景技術】
【０００２】
無線ルータ等の電子機器の設置方法として、机の上に乗せる卓上設置、および、壁に掛ける壁掛け(壁に固定する)設置が知られており、電子機器のユーザは、使用環境の変化に応じて、設置方法を任意に選択するのが一般的である。
前記卓上設置、壁掛け設置を実現する技術に関連する具体的構造の例を、図１５、１６により説明する。
図１５、１６に例示する卓上設置にあっては、スタンドとなる部分Ａは、電子機器の本体Ｂと一体に構成されている。したがって、この方式では、卓上設置のために追加部品を組み付ける必要はなく、単に机上等の載置面Ｃに置くことで設置が完了する。
【０００３】
また、壁掛け設置の場合は、図１６（ａ）に示すような固定構造部（具体的には金具等の凸部が差し込まれる凹部）Ｄが本体Ｂの背面に２つ設けられている。図１６（ａ）に示す壁掛け設置にあっては、その準備として、まずは前記固定構造部（凹部）Ｄの配置間隔に合わせ、２本のネジＥを壁Ｆへ取り付ける。その後、装置背面の凹部ＤをネジＥの頭部に引っ掛けることで、図１６（ｂ）に示すように、壁Ｆへの固定が完了する。
なお、本願に関連する電子機器の取り付け構造として、特許文献１、２に開示された構造がある。
【先行技術文献】
【特許文献】
【０００４】
【特許文献１】特開２０００−１３４２９９号公報
【特許文献２】特開２０１３−２３２７５４号公報
【発明の概要】
【発明が解決しようとする課題】
【０００５】
ところで、上記取り付け構造にあっては、装置側に設けられた凹部Ｄのピッチと、壁へ取り付けるネジＥの間のピッチとを一致させなければ装置Ａを壁Ｆへ固定することができないという課題がある。
なぜなら、装置側の壁Ｆへの固定構造はネジＥの頭を引っ掛けるためにあるため、ネジＥの間のピッチがずれることで、２か所ある装置側の凹部Ｄのうち１か所にしか引っ掛からず、固定ができなくなるためである。従来製品の中には、ユーザにネジの固定ピッチをわかりやすく伝えるため、ネジの位置合わせシートを同梱しているものも存在する。
また、ピッチを合わせることができたとして、ネジＥの片方が壁Ｆに垂直にならずに斜めに取りついてしまった場合は、装置（本体Ｂ）を引っ掛けることができなくなる。
【０００６】
更に、ネジの頭の壁Ｆからの飛び出し量は装置ごとに定められているが、2本のネジの飛び出し量を指定の値にできなかった場合、装置が壁Ｆに対し平行に取りつかず、斜めになってしまったり、取りつかなかったりする可能性もある。
加えて、上記の一連の作業後に装置を壁へ引っ掛ける際、ユーザは質量のある装置を手に持った状態で作業しなければならない。この時点でネジピッチのズレやネジが垂直でない、または飛び出し量が指定値でない場合、何度も重い装置を持ってネジの取り付け状態を確認しなければならないため、壁掛け固定に対するユーザの負担は大きくなる。
【０００７】
上述の理由より、ユーザはネジ間のピッチを装置側の固定構造のピッチに合わせたり、２本のネジの飛び出し量を合わせたりしなければならないという煩わしさを感じるという課題がある。
また、壁に固定している2か所は、両方ともネジ頭に引っ掛けることで固定している。このため装置の下方向から上方向に向かって過度な力が加わった場合、引っ掛かっている部分が外れて装置が壁から外れてしまう可能性が残り、装置落下の危険がある。
【０００８】
これに対して、特許文献１に記載された取り付け部材は、卓上に設置する場合と壁掛けとする場合とで、各々専用の取り付け部材を選択して取り付ける煩雑な作業が必要とされる。
また特許文献２にあっても、壁掛け用の専用の取り付け部材が必要とされる。
【０００９】
この発明は、取り付け部材を交換することなく卓上、壁掛けの両方の態様で電子機器を設置することができる支持装置、および支持構造を提供することを目的とする。
【課題を解決するための手段】
【００１０】
上記課題を解決するために、この発明は以下の手段を提案している。
本発明の第1態様にかかる電子機器の支持装置は、長方体状をなし、内部に電子機器本体を収容する筐体における、該筐体を支持する第１の支持面に対向する第１の面に一体に設けられる第１の支持体と、前記第１の支持面と交差する方向に向く第２の支持面に対向して配置され、前記筐体の第１の面と直交する第２の面に設けられて該第２の面と交差する方向に凸状または凹状に形成された第２の支持体とを有し、前記第１の支持体は、前記第２の支持面と交差する方向に向かう貫通孔を有し、前記第２の支持体は、前記第２の支持面に凹状または凸状に設けられた支持部材により支持される。
【００１１】
本発明の第２態様にかかる電子機器の支持構造は、長方体状をなし、内部に電子機器本体を収容する筐体における、該筐体を支持する第１の支持面に対向する第１の面に一体に設けられた第１の支持体と、前記第１の支持面と交差する方向に向く第２の支持面に対向して配置され、前記筐体の第１の面と直交する第２の面に設けられて該第２の面と交差する方向に凸状または凹状に形成された第２の支持体と、前記第２の支持体を支持すべく、前記第２の支持面に凹状または凸状に設けられた支持部材と、前記第１の支持体を記第２の支持面と交差する方向に貫通する貫通孔と、この貫通孔を貫通して前記第２の支持面に固定される貫通部材とを有する。
【発明の効果】
【００１２】
本発明によれば、卓上、壁掛け両方の態様で容易に電子機器を設置することができる。
【図面の簡単な説明】
【００１３】
【図１】本発明の第１態様にかかる電子機器の支持装置の最小構成例の正面図である。
【図２】本発明の第１態様にかかる電子機器の支持装置の最小構成例の背面図である。
【図３】本発明の第１態様にかかる電子機器の支持装置の最小構成例の側面図である。
【図４】本発明の第２態様にかかる電子機器の支持構造の最小構成例の正面図である。
【図５】本発明の第２態様にかかる電子機器の支持構造の最小構成例の背面図である。
【図６】本発明の第２態様にかかる電子機器の支持構造の最小構成例の側面図である。
【図７】本発明の第１実施形態の卓上置き状態の斜視図である。
【図８】本発明の第１実施形態の壁掛け状態の斜視図である。
【図９】本発明の第１実施形態における壁の側面図である。
【図１０】図９の壁への電子機器の取付前の状態の側面図である。
【図１１】図９の壁への電子機器の取付後の状態の側面図である。
【図１２】図９の壁への電子機器の取付後、ネジで固定する状態の側面図である。
【図１３】本発明の第２実施形態の斜視図である。
【図１４】本発明の第２実施形態の壁取り付け状態の側面図である。
【図１５】本発明に関連する支持装置を机等に載せた状態の斜視図である。
【図１６】図１５の支持装置を壁に取り付けた状態の側面図である。
【発明を実施するための形態】
【００１４】
本発明にかかる電子機器の支持装置の最小構成例について、図１〜３を参照して説明する。
符号１は第１の支持体であって、この第１の支持体１は、無線ルータ、パーソナルコンピュータ等の機能を持つ電子機器本体の基板が収容された筐体２の下方に設けられる。図１〜３の例における前記筐体２は、全体として直方体状をなし、互いに並行な一対の第１の面と、該第１の面の一の辺を一辺とし、互いに平行な一対の第２の面と、該第２の面の他の辺、前記第１の面の他の辺を一辺、他辺とし、互いに平行な一対の第３の面とを有し、前記第２の面が前記第１、第３の面より大きい。すなわち、前記第２の面が図１の正面および図２の背面であり、第１の面が図１〜３の上面および下面であり、第３の面が図１、図２の側面であって、図３の正面に相当する。
【００１５】
前記第１の支持体１は、電子機器が載置される机等の上面である第１の支持面３に向けて配置される。図１の例では、第１の支持面３は水平面であり、前記第１の支持体１の第１の面（下面）１ａが前記第１の支持面３に向けられている。
前記筐体２の背面側には、第２の支持体４が設けられている。この第２の支持体４は、例えば、筐体２、あるいは筐体２の背面に配置された部材に形成された装置側部材４ａ（図示例は凹状に構成されるが、凸状であっても良い）と、この装置側部材４ａに挿入すべく、前記第１の支持面３と交差する方向に向く第２の支持面５から突出する支持面側部材４ｂ（図示例は凸状に構成されるが、凹状に構成されても良い）とを有している。
前記第１の支持体１は、図３に示すように、左右方向への筐体２の転倒を防止すべく、少なくとも、この第１の支持体１により支持される筐体２の幅寸法Ｗ0と同じかそれ以上の幅寸法Ｗ1を有している。また前記第１の支持体１には、前記幅Ｗ1の方向（図１、２と直交する方向であって、図３の左右方向）に貫通する貫通孔６が形成されている。
【００１６】
上記構成の支持装置は、第１の支持体１が所定の幅を有するので、机等の第１の支持面３の上に第１の面１ａが接した状態で筐体２を縦向きの姿勢、すなわち、最も大きな第２の面（例えば図１に示す正面、図２に示す背面）が鉛直方向へ沿った姿勢で、水平面に載置した状態で支持することができる。
また、第２の支持体４を構成する装置側部材４ａと支持面側部材４ｂの一方が他方へ入り込むことにより、さらには、第２の支持面５と直交する方向へ向いた貫通孔６にボルト等を挿入して第２の支持面５へねじ込むことにより、筐体２を第２の支持面５に対する困難な位置決め操作を最小限として、筐体２の第２の面が鉛直方向に沿った姿勢で、垂直な第２の支持面５によって支持することができる。
【００１７】
本発明にかかる電子機器の支持構造の最小構成例について、図４〜６を参照して説明する。なお図１〜３と共通の構成には、同一符号を付し、説明を簡略化する。
符号１は第１の支持体であって、この第１の支持体１は、無線ルータ、パーソナルコンピュータ等の機能を持つ電子機器本体の基板が収容された筐体２の下部に、該筐体２と一体に、あるいは別部材として着脱可能に取り付けられる。前記筐体２は、図１〜３の例と同様、全体として直方体状をなし、互いに並行な一対の第１の面と、該第１の面の一の辺を一辺とし、互いに平行な一対の第２の面と、該第２の面の他の辺、前記第１の面の他の辺を一辺、他辺とし、互いに平行な一対の第３の面とを有し、前記第２の面が前記第１、第３の面より大きい。すなわち、前記第２の面が図４の正面および図５の背面であり、第１の面が図４〜６の上面および下面であり、第３の面が図４、図５の側面であって、図６の正面に相当する。
【００１８】
前記第１の支持体１は、電子機器が載置される机等の上面である第１の支持面３に向けて配置される。図４の例では、第１の支持面３は水平面であり、前記第１の支持体１の第１の面（下面）１ａが前記第１の支持面３に向けられている。
前記筐体２の背面側には、第２の支持体４が該筐体２と一体に、あるいは筐体２に対して着脱可能に取り付けられている。この第２の支持体４は、例えば、筐体２、あるいは筐体２の背面に取り付けられた部材に形成された装置側部材４ａ（図示の場合は窪んでいるが、凸状であっても良い）であって、この装置側部材４ａには、前記第１の支持面３と交差する方向に向く第２の支持面５から突出する支持面側部材４ｂが挿入可能に（図示の場合突出しているが、窪みであっても良く、この場合は凸状の装置側部材４ａが挿入される）構成されている。
前記第１の支持体１は、図６に示すように、左右方向への筐体２の転倒を防止すべく、少なくとも、この第１の支持体１により支持される筐体２の幅寸法Ｗ0と同じかそれ以上の幅寸法Ｗ1を有している。また前記第１の支持体１には、前記幅Ｗ1の方向（図４、５と直交する方向であって、図６の左右方向）に貫通する貫通孔６が形成されている。
【００１９】
上記構成の支持装置は、第１の支持体１が所定の幅を有するので、机等の第１の支持面３の上に第１の面１ａが接した状態で筐体２を縦向きの姿勢、すなわち、最も大きな第２の面（例えば図１に示す正面、図２に示す背面）が鉛直方向へ沿った姿勢で、水平面に載置した状態で支持することができる。
また、第２の支持体４を構成する装置側部材４ａと支持面側部材４ｂの一方が他方へ入り込むことにより、さらには、第２の支持面５と直交する方向へ向いた貫通孔６にボルト等を挿入して第２の支持面５へねじ込むことにより、筐体２を第２の支持面５に対する困難な位置決め操作を最小限として、筐体２の第２の面が鉛直方向に沿った姿勢で、垂直な第２の支持面５によって支持することができる。
【００２０】
図７〜１２を参照して、本発明の第１実施形態について説明する。なお図１〜６と共通の構成には、同一符号を付し、説明を簡略化する。
図７は本願の支持構造を適用した電子機器の設置状態を示すものである。筐体２の内部には、無線ルータ、パーソナルコンピュータ等の機能を持つ電子機器本体の基板が収容されている。
前記筐体２には、第１の支持体１０が設けられている。この第１の支持体１０は、筐体２が設置される第１の支持面３に沿って突出する脚部１０ａが筐体２から突出して設けられている。また前記第１の支持体１０は、前記脚部１０ａと反対方向へ突出する脚部１０ｂを有する。この脚部１０ｂには、前記筐体２の背面２ａに沿って配置される平板部１０ｃが一体に設けられている。この平板部１０ｃは、前記背面２ａとほぼ一致する平面形状を有し、一辺（図７および図８の上下方向の辺）の長さが前記背面２ａより僅かに短い。また前記筐体２の背面２ａの上端には、前記平板部１０ｃの厚さとほぼ同じ長さ突出する突起２ｂが設けられている。すなわち、この突起２ｂが前記平板部１０ｃの上端と接することにより、筐体２の下方へ向かう荷重を支持するよう構成されている。なお前記平板部１０ｃは、前記筐体２の背面２ａにボルト等の部材を用いて、あるいはカシメ等の加工によって一体に固着されることが望ましい。また筐体２の背面を構成するモールドや板金を兼ねる一体構成であっても良い。
前記脚部１０ａ、突起２ｂは、筐体２と一体に設けられるが、筐体２を構成するモールドや板金の一部として形成しても、筐体２とは別に形成した部材を凹凸のない直方体状の筐体２の外部に固着しても良い。
【００２１】
前記脚部１０ａ、１０ｂには、図１２（ｂ）に示すように、これらを貫通する貫通孔６が形成されている。この貫通孔６の脚部１０ａ側（筐体２の正面側）の端部には、貫通孔６の内径より大きく開口した開口部６ａが形成されている。
前記貫通孔６は、取り付けボルト３０が挿通されるもので、内径がｄ1とされている（図１２(b)参照）。一方、前記取り付けボルト３０は、頭部の外径Ｄ1、軸部の最大径Ｄ2とされていて、これらの寸法の間には、Ｄ1＞ｄ1＞Ｄ2  の相対関係に設定されていて、頭部の貫通孔６内への侵入を規制するよう構成されている。
また前記開口部６ａの幅Ｗ2は、前記取り付けボルト３０の頭部の外径Ｄ1に対して、
Ｗ2＞Ｄ1  に設定されていて、開口部６ａより内側への取り付けボルト３０の侵入を許容するようになっている。
前記取り付けボルト３０は、図示の場合、先細り状に形成された先端までネジが形成されていて、第２の支持面５へねじ込むことが可能な、タッピングボルト（木ネジ）が採用されている。なお第２の支持面５にめねじ孔が設けられている場合には、先端まで同一径のボルトを用いても良い。この場合、ボルトとめねじ孔との位置決めの容易さを考慮して、前記貫通孔６とボルトとの間隙を大きめに設定することが望ましい。
なお、図１２（ｃ）の変形例に示すように、平板部１０ｃの下部を折り曲げて形成した突出部に設けられた貫通孔６に取り付けボルト３０を挿入する構成であっても良い。
【００２２】
図１１（ｂ）に示すように、前記平板部１０ｃの背面には、第２の支持面５から突出する取り付けボルト４０が挿入される被挿入部材４１が取り付けられている。
前記被挿入部材４１には、前記取り付けボルト４０が挿入される凹部４１ａが形成され、この凹部４１ａは、蓋部材４２によって一部が覆われることにより、幅ｄ2を有する部分と、幅ｄ3を有する部分とが形成されている（図１１(b)参照）。すなわち、前記取り付けボルトの頭部の外径Ｄ3、軸部の最大径Ｄ4に対して、ｄ2＞Ｄ3＞ｄ3＞Ｄ4  となるような相対寸法に設定されていて、前記取り付けボルト４０を最大径Ｄ3の部分から挿入し、その後、上方へ相対移動させることにより、取り付けボルト４０の頭部のＤ3の外径の部分が被挿入部材４１の幅ｄ3の部分に引っ掛かり、取り付けボルト４０が凹部４１ａから抜け止めされるよう構成されている。
【００２３】
以上のように構成された電子機器の支持構造により電子機器を卓上あるいは壁に取り付ける工程について説明する。
机等の第１の支持面３に電子機器を置く場合、図７に示すように、第１の支持面３に沿って第１の支持体１０の脚部１０ａ、１０ｂが延在し、かつ、筐体２の背面２ａに平板部１０ｃが接して側方から支持しているので、電子機器の筐体２を安定して第１の支持面３に載せることができる。
【００２４】
壁等の第２の支持面５に電子機器を支持させる場合、まず、図９に示すように、取り付けボルト４０を第２の支持面５にねじ込んで固定する。次に、図１０に示すように、第２の支持面５に沿って筐体２を配置する。ここで、まず、被挿入部材４１の凹部４１ａの幅ｄ2の部分（幅の広い部分）を取り付けボルト４０の頭部に位置合わせして、凹部４１ａへ挿入し、その後、図１１（ａ）に示すように、筐体２とともに被挿入部材４１を下方へ移動させると、取り付けボルト４０の頭部が凹部４１ａの幅ｄ3の部分（幅の狭い部分）に配置され、取り付けボルト４０の頭部が蓋部材４２に引っ掛かり、抜ける方向への移動が規制される。
【００２５】
図１１（ａ）に示す状態で、脚部１０ａ側の開口部６ａから取り付けボルト３０を挿入し、さらに、内部の貫通孔６に取り付けボルト３０を挿入する。さらに、図１２（ａ）に示すように、前記開口部６ａからドライバー等の工具Ｔを挿入して取り付けボルト３０の頭部に回転を与えると、取り付けボルト３０が第２の支持面５から壁等の内部へ食い込みながら挿入される。なお、工具Ｔの外径は、一般に取り付けボルト３０の頭部とほぼ等しいか僅かに大きい外径であるから、開口部の内径Ｗ2は、取り付けに使用されることが予想される工具Ｔの外径に対しても隙間を持つことができる寸法であることが望ましい。
【００２６】
ここで、開口部６ａが貫通孔６より大径とされているため、工具Ｔを貫通孔６の近くまで挿入して容易に取り付けボルト３０を締め込むことができる。なお内径の大きな開口部６ａを形成する深さは、脚部１０ａ、１０ｂ、あるいは筐体２を構成するモールドや板金の強度、あるいは、取り付けボルト３０の強度、さらにはねじ込みに使用される工具Ｔの操作性や強度を考慮して適宜選択される。なお開口部６ａの幅Ｗ2を取り付けボルト３０の頭部の径Ｄ1よりわずかに小さい程度に設定して、脚部１０ａの端面から取り付けボルト３０の頭部が突出するような形態で取り付けても良い。
【００２７】
第１実施形態にあっては、電子機器を収容する筐体以外に格別な外付け部品の交換を伴うことなく、図７に示す自立状態、あるいは、図８に示す壁への取り付け状態で電子機器を設置することができる。また、図８に示す取り付け状態においては、取り付けボルト４０を被挿入部材４１に引っ掛ける操作によって電子機器の荷重を支持させた状態で、取り付けボルト３０をねじ込む操作によって電子機器を壁に固定することができる。すなわち、壁に設けられた取り付けボルトのピッチに合わせて電子機器の位置を細かく調整しながら引っ掛ける操作をすることなく、電子機器を壁に取り付けることができる。
また第１の支持体１０の脚部１０ｂが筐体２の背面側へ突出しているので、筐体２（第１の支持体１０の平板部１０ｃ）と壁（第２の支持面５）との間に隙間を確保し、この隙間を冷却風の通路として利用することができる。
【００２８】
図１３、１４は第２実施形態を示すものである。
第１の支持体１０を構成する平板部１０ｃには、この平板部１０ｃを厚さ方向に貫通する通風口１０ｄが形成されている。また前記平板部１０ｃの下部は、一部が切り欠きされて、通風口１０ｅが形成されている。
【００２９】
このように構成された電子機器の支持構造にあっては、図１４に示すように、通風口１０ｅから入った外気を平板部１０ｃの内側へ導き、内側の筐体２の表面、あるいは、筐体２の背面に形成された通風口（図示略）を介して筐体２の内部から排出された温度の高い空気を第２の支持面５に沿って上方（図１４に矢印で示す方向）へ導き、筐体２に内蔵された電子機器から発生した熱を外部へ放出することができる。
なお前記通風口１０ｄは、筐体２の背面（横置き姿勢で上面となる面）に形成された通気口（図示略）に対応して配置されることが、放熱効率向上の面で望ましい。
【００３０】
変形例
上記実施形態の取り付けボルト３０、４０の全長を変更しても良い。具体的には、上側の取り付けボルト４０は、壁（第２の支持面５）からネジの頭までの距離をとる必要があるため、長いネジを使用している。一方、下側の取り付けボルト３０は、貫通孔６を通って被締結物を挟んで壁（第２の支持面５）へ固定することができる長さが確保できれば良いため、図１２（ｂ）に示す開口部６ａの深さ（図中左右方向の長さ）を調整することによって、上側の取り付けボルト４０と同じ長さにしても良い。また、被挿入部材４１の高さを変更することにより、上側の取り付けボルト４０の長さを短くして、下側の取り付けボルト３０の長さと同じにしても良い。
このように、取り付けボルト３０、４０の長さを同じにし、あるいは、全体を短くすることにより、支持装置の生産コストを低減することができる。
上記実施形態では、装置を卓上設置するために第１の支持体１０の脚部を張り出して一体化したが、筐体の厚み、あるいは筐体内部の電子機器の重量バランスにより（第１の支持体１０寄り、すなわち下方に重心がある場合）、脚部が張り出す構造を省略しても良い。
具体的には、筐体の厚みが十分にあり、高さがそれほど高くない場合で、第１の支持体１０の脚部１０ａ、１０ｂがなくとも自立する場合である。
【００３１】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３２】
本発明は、電子機器を収容した筐体を卓上に置き、あるいは壁に取り付ける場合に利用することができる。
【符号の説明】
【００３３】
１  第１の支持体
１ａ  第１の面（下面）
２  筐体
２ａ  背面
２ｂ  突起
３  第１の支持面
４  第２の支持体
４ａ  装置側部材
４ｂ  支持面側部材
５  第２の支持面
６  貫通孔
６ａ  開口部
１０  第１の支持体
１０ａ  脚部
１０ｂ  脚部
１０ｃ  平板部
３０  取り付けボルト
４０  取り付けボルト
４１  被挿入部材
４１ａ  凹部
４２  蓋部材
【図１】
2020120296.tif 000003
【図２】
2020120296.tif 000004
【図３】
2020120296.tif 000005
【図４】
2020120296.tif 000006
【図５】
2020120296.tif 000007
【図６】
2020120296.tif 000008
【図７】
2020120296.tif 000009
【図８】
2020120296.tif 000010
【図９】
2020120296.tif 000011
【図１０】
2020120296.tif 000012
【図１１】
2020120296.tif 000013
【図１２】
2020120296.tif 000014
【図１３】
2020120296.tif 000015
【図１４】
2020120296.tif 000016
【図１５】
2020120296.tif 000017
【図１６】
2020120296.tif 000018
【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
長方体状をなし、内部に電子機器本体を収容する筐体における、該筐体を支持する第１の支持面に対向する第１の面に一体に設けられる第１の支持体と、
前記第１の支持面と交差する方向に向く第２の支持面に対向して配置され、前記第１の面と直交する第２の面に設けられて該第２の面と交差する方向に凸状または凹状に形成された第２の支持体と、
を有し、
前記第１の支持体は、前記第２の支持面と交差する方向に向かう貫通孔を有し、
前記第２の支持体は、前記第２の支持面から凹状または凸状に設けられた支持部材に支持され、
前記第１の支持体は、前記筐体の第１の面と直交し、前記第２の支持面と並行な第２の面より外方まで延在して設けられ、
前記第１の支持体は、前記筐体の底部に前記筐体の第２の面より外方まで延在して設けられ、
前記第１の支持体は、前記第１の支持面に沿って一の方向へ突出する一の脚部と、前記第１の支持面に沿って前記一の方向と反対方向へ突出する他の脚部とを有し、
前記貫通孔は、前記一の脚部と他の脚部との両方を貫通して設けられた、
電子機器の支持装置。
【請求項２】
前記第１の支持体は、前記筐体の第２の面に重ねられる板状部と、
この板状部から前記第２の面の外方へ突出して設けられた突起と、を有する請求項１に記載の電子機器の支持装置。
【請求項３】
長方体状をなし、内部に電子機器本体を収容する筐体における、該筐体を支持する第１の支持面に対向する第１の面に一体に設けられる第１の支持体と、
前記第１の支持面と交差する方向に向く第２の支持面に対向して配置され、前記第１の面と直交する第２の面に設けられて該第２の面と交差する方向に凸状または凹状に形成された第２の支持体と、
を有し、
前記第１の支持体は、前記第２の支持面と交差する方向に向かう貫通孔を有し、
前記第２の支持体は、前記第２の支持面から凹状または凸状に設けられた支持部材に支持され、
前記第１の支持体は、前記筐体の第１の面と直交し、前記第２の支持面と並行な第２の面より外方まで延在して設けられ、
前記第１の支持体は、前記筐体の第２の面に重ねられる板状部と、
この板状部の下部から前記第２の面の外方へ突出して設けられた一の突起と、を有し、
前記板状部は、前記筐体の第２の面に接し、前記板状部の上端は、前記第２の面から該第２の面と交差する方向へ突出して設けられた他の突起から作用する前記筐体の重量を支持する、
電子機器の支持装置。
【請求項４】
前記第１の支持体は、前記筐体の底部に前記筐体の第２の面より外方まで延在して設けられた請求項３に記載の電子機器の支持装置。
【請求項５】
前記板状部には、該板状部を貫通する空気流通孔が形成された請求項４に記載の電子機器の支持装置。
【請求項６】
前記空気流通孔は、前記筐体の第２の面を貫通して設けられた通気孔に平面視で重なる位置に配置された
請求項５に記載の電子機器の支持装置。
【請求項７】
長方体状をなし、内部に電子機器本体を収容する筐体における、該筐体を支持する第１の支持面に対向する第１の面に一体に設けられた第１の支持体と、
前記第１の支持面と交差する方向に向く第２の支持面に対向して配置され、前記筐体の第１の面と直交する第２の面に設けられて該第２の面と交差する方向に凸状または凹状に形成された第２の支持体と、
前記第２の支持体を支持すべく、前記第２の支持面と交差する方向に凹状または凸状に設けられた支持部材と、
前記第１の支持体を記第２の支持面と交差する方向に貫通する貫通孔と、
この貫通孔を貫通して前記第２の支持面に固定される貫通部材と、を有し、
前記第１の支持体は、前記筐体の第１の面と直交し、前記第２の支持面と並行な第２の面より外方まで延在して設けられ、
前記第１の支持体は、前記筐体の底部に前記筐体の第２の面より外方まで延在して設けられ、
前記第１の支持体は、前記第１の支持面に沿って一の方向へ突出する一の脚部と、前記第１の支持面に沿って前記一の方向と反対方向へ突出する他の脚部とを有し、
前記貫通孔は、前記一の脚部と他の脚部との両方を貫通して設けられた、
ことを特徴とする電子機器の支持構造。
【請求項８】
長方体状をなし、内部に電子機器本体を収容する筐体における、該筐体を支持する第１の支持面に対向する第１の面に一体に設けられた第１の支持体と、
前記第１の支持面と交差する方向に向く第２の支持面に対向して配置され、前記筐体の第１の面と直交する第２の面に設けられて該第２の面と交差する方向に凸状または凹状に形成された第２の支持体と、
前記第２の支持体を支持すべく、前記第２の支持面と交差する方向に凹状または凸状に設けられた支持部材と、
前記第１の支持体を記第２の支持面と交差する方向に貫通する貫通孔と、
この貫通孔を貫通して前記第２の支持面に固定される貫通部材と、を有し、
前記第１の支持体は、前記筐体の第１の面と直交し、前記第２の支持面と並行な第２の面より外方まで延在して設けられ、
前記第１の支持体は、前記筐体の第２の面に重ねられる板状部と、
この板状部の下部から前記他の第２の面の外方へ突出して設けられた一の突起と、を有し、
前記板状部は、前記筐体の第２の面に接し、前記板状部の上端は、前記第２の面から該第２の面と交差する方向へ突出して設けられた他の突起から作用する前記筐体の重量を支持する、
電子機器の支持構造。